(57)【要約】【課題】  表示パネル等に対して均一な照明が可能になると共に、電球及びフィルタを確実に支持することが可能な電球装置を提供する。【解決手段】  電球１１が挿入されたキャップ状をなすフィルタ１２の開放部１２ａをベース部材１３に装着し、ベース部材１３から電球１１のリード線１１ｃ、１１ｃを導出してベース部材１３に固定することにより、電球１１をベース部材１３に当接させると共にフィルタ１２の開放部１２ａを電球１１とベース部材１３とで挟持して構成する。【選択図】        図２
2006073227.tif 000002
【特許請求の範囲】
【請求項１】
電球が挿入されたキャップ状をなすフィルタの開放部をベース部材に装着し、ベース部材から電球のリード線を導出してベース部材に固定することにより、電球をベース部材に当接させると共にフィルタの開放部を電球とベース部材とで挟持するようにしたことを特徴とする電球装置。
【請求項２】
封止部を介してリード線を導出した電球と、電球が挿入され封止部が当接するリブをキャップ状開放部の内側に形成したフィルタと、フィルタのリブを嵌合する装着部と電球の封止部を当接させる支持部及びリード線挿通孔を形成したベース部材とを具備し、リード線挿通孔からリード線を導出してベース部材の周面に巻き廻しにより固定し、封止部を支持部に当接させると共にリブを電球と装着部とで挟持するようにしたことを特徴とする電球装置。
【発明の詳細な説明】
【技術分野】
【０００１】
本発明は、無口金の電球等を装着したベース部材を有する電球装置に関する。
【背景技術】
【０００２】
近年、自動車等の計器類、音響機器の操作部等おける表示パネルの照明用に無口金の電球が多用されている。
【０００３】
これら、無口金の電球は、例えば下記の特許文献１に示されるようにベース部材である口金に装着して電球装置が構成され、口金７には電球１を挿入するための電球取付孔８を設けた有底円筒部９の外周に、全周に亘たり外側方に突出するフランジ部１０を連設している。
【０００４】
一方、この種の電球装置においては、従来例である図１１に示すように、表示パネルにおける表示効果を色の違いにより高めるために、無口金の電球１に所望の色に着色したキャップ状のフィルタ２を被せた電球が使用され、このフィルタ２はベース部材３の筒部４から露出した電球の頭部に被されて構成している。
【０００５】
さらに、特許文献２に示されるように、無口金電球１とカラーキャップ６の内面との間に空間部１０を形成し、カラーキャップ６のリブ８を無口金電球１と略円筒形ソケット１１の内部に形成されている電球取付孔１２の底面とで挟持することによりカラーキャップ６を無口金電球１に止着可能にするように構成している。
【特許文献１】特開平９−２７４８９５号公報
【特許文献２】実用新案登録第３０４７８３０号公報
【発明の開示】
【発明が解決しようとする課題】
【０００６】
しかしながら、特許文献１及び従来例を示す図１１の電球装置は、いずれも口金となるベース部材に無口金の電球を保持するための筒部が形成され、この筒部が電球から出る光を遮断して影が作られ、図１１に示すよう電球装置を中心に周囲に広範囲にわたり暗部が形成され、計器盤の表示パネルにこの暗部が写り全面にわたり均一な照明ができない問題が生じる。
【０００７】
特許文献２に示されるものは、筒部が形成されていないため、電球から出る光を遮断することがなく改善されているが、無口金電球及びフィルタをベース部材に支持する構成としては、カラーキャップ６のリブ８を無口金電球１と、略円筒形ソケット１１の内部に形成されている電球取付孔１２の底面とで、単に挟持した構成となっている。
【０００８】
さらに、無口金電球１のリード線５、５は、リード線導出孔１３、１３を通じてソケット１１の底部下面に形成したリード線案内溝１４、１４を、それぞれ単に通過させた構成であり、無口金電球及びカラーフィルタはベース部材にリード線によって強固に支持された構成ではない。
【０００９】
しかもカラーキャップ６は、通常シリコンゴム等の弾性を有する材質で構成され、この柔らかいカラーキャップに無口金電球が挿入された状態でソケット１１に装着され、ソケットの中で浮いた不安定な支持状態となっている。
【００１０】
このために、無口金電球が傾いたりカラーフィルタが外れたりする恐れが生じ、特に振動の激しい自動車等における表示パネルの電球装置としては適さない問題が生じる。
【００１１】
本発明は、上述した課題、問題を解決することを目的とし、表示パネル等に対して均一な照明が可能になると共に、電球及びフィルタを確実に支持することが可能な電球装置を提供しようとするものである。
【課題を解決するための手段】
【００１２】
請求項１に記載の電球装置の発明は、電球が挿入されたキャップ状をなすフィルタの開放部をベース部材に装着し、ベース部材から電球のリード線を導出してベース部材に固定することにより、電球をベース部材に当接させると共にフィルタの開放部を電球とベース部材とで挟持するようにしたことを特徴とする。
【００１３】
請求項１に記載の発明によれば、電球から出る光を遮断してしまう筒部を設けることなく電球をベース部材に装着することができ、均一な照明が可能になると共に、電球及びフィルタを確実に支持することが可能な電球装置が構成される。
【００１４】
キャップ状をなすフィルタは、透明なシリコンゴムなど、透光性でかつ弾性を有する素材で構成され、素材に顔料や染料を配合することにより所望の発色を得るためのカラーフィルタが好ましいが、電球の発色を変えるのではなく、例えば、白色半透明の素材を使用してフィルタを構成し、電球に被せることにより明るさを制御するようにしたものでもよく、さらに素材としては弾性を有さない材質で構成することも許容する。
【００１５】
リード線のベース部材への固定は、導出したリード線をベース部材の底面に沿って折り曲げて固定してもよく、さらには底面から側面を経由して上面にわたり、ベース部材の周面にリード線を迂回させ、巻き廻しにより固定することも許容する。
【００１６】
要は、リード線をベース部材に固定することにより、電球をベース部材に当接させて支持し、さらにフィルタの開放部を電球とベース部材とで挟持するようにして、電球及びフィルタをベース部材に確実に支持するように構成すればよい。
【００１７】
電球のベース部材への当接は、電球の底部となるリード線の封止部を当接することが好ましいが、厳密に封止部のみを当接させることを意味するのではなく、封止部周辺さらには側面部分等の電球の一部分を当接することも許容する。
【００１８】
フィルタの開放部を電球とベース部材とで挟持する構成は、開放部自体を支持しても、さらにはフィルタの開放部にリブ等を形成し、リブを垂直方向から電球とベース部材で挟み込んで密着させるようにして支持することも許容する。
【００１９】
また、リブは予めフィルタの開放部に形成するのではなく、電球が下方に引っ張られることによって、フィルタ開放部の下方が電球によって押し潰され、この押し潰しによって突出形成されるリブであってもよい。
【００２０】
また挟み込んで密着させる度合いも、強固に密着している必要はなく、実使用状態において電球及びフィルタがベース部材の中で動きぐらつかない程度に密着して挟持されていればよい。
【００２１】
請求項２に記載の電球装置の発明は、封止部を介してリード線を導出した電球と、電球が挿入され封止部が当接するリブをキャップ状開放部の内側に形成したフィルタと、フィルタのリブを嵌合する装着部と電球の封止部を当接させる支持部及びリード線挿通孔を形成したベース部材とを具備し、リード線挿通孔からリード線を導出してベース部材の周面に巻き廻しにより固定し、封止部を支持部に当接させると共にリブを電球と装着部とで挟持するようにしたことを特徴とする。
【００２２】
請求項２に記載の発明によれば、フィルタのリブをベース部材の装着部に嵌合することにより、電球から出る光を遮断してしまう筒部を設けることなく電球をベース部材に装着することができ、均一な照明が可能となる電球装置が構成される。
【００２３】
さらに、リード線をベース部材の周面に巻き廻しにより固定し、封止部を支持部に当接させると共にリブを電球と装着部とで挟持し、電球及びフィルタを確実に支持することが可能な電球装置が構成される。
【００２４】
リード線のベース部材への巻き廻しによる固定は、ベース部材の底面から側面さらには上面に迂回させることが好ましいが、底面のみ、または底面及び側面だけに迂回させ、巻き廻しにより固定することも許容する。
【００２５】
また、リード線は引っ張りながら巻き廻して固定することが、より強固に固定するためには好ましい手段であるが、必ずしも必要な要件でなく、リード線を引っ張ることなくベース部材周囲に沿わせて迂回させることにより固定することも許容する。
【発明の効果】
【００２６】
請求項１の発明によれば、フィルタの開放部をベース部材に装着したので、電球から出る光を遮断してしまう筒部を設けることなく電球をベース部材に装着することができ、均一な照明が可能になると共に、リード線を導出してベース部材に固定することにより、電球をベース部材に当接させると共にフィルタの開放部を電球とベース部材とで挟持したので、電球及びフィルタを確実に支持することが可能な電球装置を提供することができる。
【００２７】
請求項２の発明によれば、フィルタのリブをベース部材の装着部に嵌合したので、電球から出る光を遮断してしまう筒部を設けることなく電球をベース部材に装着することができ、均一な照明が可能となると共に、リード線をベース部材の周面に巻き廻しにより固定し、封止部を支持部に当接させると共にリブを電球と装着部とで挟持したので、電球及びフィルタをより確実に支持することが可能な電球装置を提供することができる。
【発明を実施するための最良の形態】
【００２８】
以下、本発明に係る電球装置の実施形態について説明する。
【実施例１】
【００２９】
図１は第一実施形態の電球装置の平面図、図２は図１のＡ−Ａ線に沿う縦断面図、図３は第一実施形態の電球装置の下面図、図４は第一実施形態の電球装置に使用される無口金電球の縦断面図、図５は第一実施形態の電球装置に使用されるベース部材の平面図、図６は図５のＢ−Ｂ線に沿う縦断面図、図７は第一実施形態の電球装置に使用されるベース部材の下面図、図８は第一実施形態の電球装置の組立状態を示す説明図、図９は第一実施形態の電球装置をプリント配線基板に組み込んだ状態で電球装置の配光状態を示す説明図である。
【００３０】
まず、本実施形態の電球装置の構成を図１〜図４にしたがい説明する。
【００３１】
本実施形態の電球装置１０は、自動車の計器における表示パネル用の電球装置として構成されたもので、光源となる無口金の電球１１、電球が挿入され収容されるフィルタ１２、電球を装着するベース部材１３で構成する。
【００３２】
電球１１は、図４に示すようにサブミニチュアランプ  ワイヤーターミナルを構成する白色の電球で、ガラスバルブ１１ａと、ガラスバルブ内に封入されたタングステンフィラメント１１ｂと、フィラメント両端を上端部で懸架する一対のリード線１１ｃ、１１ｃと、リード線の下端部を気密に封止して導出する封止部１１ｄで構成する。
【００３３】
ガラスバルブ１１ａは両端を封止した円筒状をなし、材質が透明な軟質、或いは鉛を含まない軟質鉛フリーガラスで構成し、ガラスバルブ１１ａの頂点から封止部１１ｄ下端までの電球としての高さ寸法ｈは３〜１５ｍｍ、ガラスバルブ１１の外直径ｄは２〜５ｍｍにして構成する。
【００３４】
一対のリード線１１ｃ、１１ｃは、線の直径が０．２〜０．５ｍｍのジュメット線で構成する。
【００３５】
フィルタ１２は、透明なシリコンゴムなど、透光性でかつ弾性を有する素材で構成し、素材に赤色の顔料や染料を配合することにより赤色の発色を得るためのカラーフィルタで、一端が封止され他端が開放された開放部１２ａを有し、内部に電球１１を収容する空間部１２ｂを形成した略円筒状をなすキャップ状に構成する。
【００３６】
開放部１２ａの内面全周には、内側に向かい突出するリング状のリブ１２ｃを一体に形成する。
【００３７】
キャップ状をなすフィルタ１２の内径及び空間部１２ｂの高さ寸法は、ガラスバルブ１１ａの外直径ｄ及び高さ寸法ｈと略等しい寸法に構成し、ガラスバルブ１１ａの頂部をフィルタ１２の開放部１２ａから挿入して、ガラスバルブ１１ａをフィルタ１２の空間部１２ｂに収容する。
【００３８】
この際、フィルタ１２の開放部１２ａにリブ１２ｃが形成されて開口する孔の径がガラスバルブ１１ａの直径より小さくなっているが、フィルタ１２は弾性を有するシリコンゴムで構成されているので、その弾力に抗して孔を広げてガラスバルブ１１ａを挿入する。
【００３９】
フィルタ１２内に電球１１が収容された状態で、封止部１１ｄの底面の両端部がリング状に突出するリブ１２ｃの上面に当接し、リード線１１ｃ、１１ｃがフィルタの開放部１２ａから引き出された状態となっている（図８（ａ））。
【００４０】
図５〜図７に示すように、ベース部材１３は無口金の電球１１の口金の機能をなすもので、耐熱性で電気絶縁性を有する、例えば熱可塑性の合成樹脂で、台座１３ａを有する略直方体をなす形状に形成する。
【００４１】
台座１３ａの上面中央部分に、電球１１の装着部となる円形の凹部１３ｂを一体に形成し、凹部の底壁に略円形の台をなすように突出して電球の支持部となる突起部１３ｃを一体に形成し、突起部の中央部分に電球のリード線１１ｃ、１１ｃを導出するための一対の挿通孔１３ｄ、１３ｄを形成する。
【００４２】
この挿通孔１３ｄ、１３ｄは、凹部１３ｂの底壁から台座１３ａの底面１３ｅに通じるように貫通させて形成する。
【００４３】
さらに、台座１３ａの底面１３ｅには、貫通した挿通孔１３ｄ、１３ｄの出口に連続して直線状に両側面に向かい一対のリード線案内溝１３ｆを形成し、この案内溝はベース部材１３の両側面１３ｇ、１３ｇさらには上面１３ｈにわたり直線状に連続して形成する。
【００４４】
次に、上記のように構成された無口金の電球１１をベース部材１３に組み込み、電球装置１０を組み立てる状態を図８にしたがい説明する。
【００４５】
上述のように、電球１１をフィルタ１２に挿入し収容した状態で、フィルタの開放部１２ａから引き出された一対のリード線１１ｃ、１１ｃをベース部材１３の凹部１３ｂ底壁に形成された一対の挿通孔１３ｄ、１３ｄにそれぞれ挿通して、リード線１１ｃ、１１ｃの端部を台座１３ａの底面１３ｅから引き出し、電球封止部１１ｄの底面両端部をリブ１２ｃの上面に当接させる（図８（ａ）→（ｂ））。
【００４６】
次に、引き出された一対のリード線１１ｃ、１１ｃの端部を左右に開くようにして引っ張り、台座１３ａの底面１３ｅのリード線案内溝１３ｆに沿わせる。
【００４７】
さらにリード線の端部を引っ張り、台座１３ａの両側面１３ｇ、１３ｇの案内溝１３ｆに沿わせて迂回させ、さらに上面１３ｈの案内溝１３ｆにわたって迂回させ、上面１３ｈと両側面１３ｇ、１３ｇがなす角部に、リード線１１ｃ、１１ｃを引っ張った状態で折り曲げて係合させ、リード線１１ｃ、１１ｃをベース部材１３の周面に巻き廻しにより固定する（図８（ｃ）。余ったリード線は切断する。
【００４８】
上記のように、リード線１１ｃ、１１ｃを引っ張った状態でベース部材１３の周面に巻き廻しにより固定する操作により、フィルタ１２内に電球の封止部１１ｄの底面両端部が、リブ１２ｃの上面に当接した状態で収容されていた電球（図８（ｂ））が下方に引っ張られる。
【００４９】
これにより、封止部１１ｄの底面両端部がリブ１２ｃの上面に密着し、リブ１２ｃを垂直方向から封止部１１ｄとベース部材１３の凹部１３ｂの底壁との間で挟持して、リブ１２ｃが圧縮された状態で固定される。同時に、封止部１１ｄの底面中央部分が略円形の台をなす突起部１３ｃに当接して支持され、電球１１及びフィルタ１２が動き、ぐらつくことなく確実にベース部材１３に支持される（図８（ｃ））。この際、ガラスバルブ１１ａの頂点とフィルタ１２頂点の内側に若干の隙間ａが形成される。
【００５０】
これにより、赤色のフィルタ１２が被された無口金電球１１の発光部が、口金となるベース部材１３から突出し、電球１１の下部がベース部材１３の凹部１３ｂに装着され、ベース部材１３の底面１３ｅにリード線１１ｃ、１１ｃにより電気接続端子が形成された電球装置１０が構成される。
【００５１】
上記のように構成された電球装置は、自動車の計器の表示パネルを構成するプリント配線基板に設置される。
【００５２】
図９に示すように、電球装置１０がプリント配線基板１５の上面に設置され、ベース部材１３の底面１３ｅにリード線１１ｃ、１１ｃによって構成された電気接続端子を介して電球１１に電源が供給されて点灯する。
【００５３】
この際、電球自体は白色に点灯する無口金の電球であるが、赤色のフィルタ１２を被せることにより赤色に点灯する。
【００５４】
また、無口金の電球は、従来のように電球を支持するための筒部４を設けることなく、電球の発光部がベース部材１３から突出し、発光にあまり寄与しない電球の下部がベース部材１３の凹部１３ｂに装着されているので、フィラメント１１ｂからの光が、従来は電球を支持するために必要とされていた筒部４によって遮られることなく電球装置１０の周囲に満遍なく放射され、暗部となる部分が従来に比して少なくなり（図９、図１１参照）、計器盤の表示パネルに暗部が写ることが抑制されて均一に照明することができる。
【００５５】
本実施形態において、フィルタ１２を赤色のカラーフィルタで構成したが、使用条件に応じて黄色、緑色等、さらには白色半透明のフィルタを用いて明るさを調整するように構成してもよい。
【００５６】
また、フィルタ１２をシリコンゴムで構成したが、透明または半透明の透光性で柔軟性を有する合成樹脂で構成してもよい。
【００５７】
ベース部材１３を略直方体に形成したが、台座を有する円盤状など各種の形状に形成し、デザイン性をさらに高めるようにしてもよい。
【００５８】
ベース部材１３の周面にリード線１１ｃ、１１ｃを沿わせるための案内溝１３ｆを形成したが、案内溝は必ずしも必要とするものではなく、ベース部材１３の周面に案内溝を設けずに、底面１３ｅから両側面１３ｇさらに上面１３ｈの各面にわたり、直接リード線を沿わせて巻き廻しにより固定するようにしてもよい。
【００５９】
本実施形態は、自動車の計器における表示パネルの電球装置として構成したが、ＯＡ機器、情報通信機器、家電機器、その他各種機器の表示用電球装置としてとして構成してもよい。
【００６０】
本実施形態によれば、フィルタ１２のリブ１２ｃをベース部材１３の装着部１３ｂに嵌合したので、電球１１から出る光を遮断してしまう筒部４を設けることなく電球１１をベース部材１３に装着することができ、均一な照明が可能となる。
【００６１】
また、リード線１１ｃ、１１ｃを引っ張りながらベース部材１３の底面１３ｅから両側面１３ｇ、１３ｇさらには上面１３ｈにわたり迂回させて巻き廻しにより固定し、さらに電球１１の封止部１１ｄをベース部材１３の支持部１３ｃに当接させると共に、リブ１２ｃを電球１１と装着部１３ｂとで挟持したので、電球１１及びフィルタ１２をより確実に支持することが可能となる。
【００６２】
次に、本発明に係る電球装置の第二の実施形態について説明する。
【実施例２】
【００６３】
図１０は第二実施形態の電球装置の組立状態を示す説明図で、第一の実施形態と同一の部分には、同一の符号を付してある。
【００６４】
本実施形態における電球装置１０は、フィルタ１２の開放部１２ａに、内側に向かい突出するリング状のリブを形成せずに平坦な円筒内面に形成して電球１１を収容し、電球の封止部１１ｄの両角部が平坦な円筒内面に密着するように対向させて構成する。
【００６５】
この際、キャップ状をなすフィルタ１２の内径寸法は、ガラスバルブ１１ａの外直径ｄよりやや小さい寸法に構成し、ガラスバルブ１１ａがフィルタ１２の空間部１２ｂ内面に密着するようにして収容する。
【００６６】
上記のように構成した電球１１を、第一の実施形態と同様にベース部材１３の凹部１３ｂに装着し、ベース部材１３の挿通孔１３ｄ、１３ｄからリード線１１ｃ、１１ｃを引き出し、引っ張った状態でベース部材１３の周面に巻き廻しにより固定する。
【００６７】
これにより、フィルタ開放部１２ａの平坦な円筒内面と密着して収容されていた電球１１（図１０（ａ））が下方に引っ張られ、封止部１１ｄの両角部とフィルタ開放部１２ａの平坦な円筒内面との密着によるが摩擦係合によって、フィルタ開放部１２ａの下方が押し潰され、この押し潰しによってリブ１２ｃ'が突出形成される（図１０（ｂ））。
【００６８】
このリブ１２ｃ'が略垂直方向から封止部１１ｄとベース部材の凹部１３ｂの底壁との間で挟持された形態となりリブ１２ｃ'が圧縮された状態で固定される。同時に、第一の実施形態と同様に封止部１１ｄの底面中央部分が、ベース部材１３の略円形の台をなす突起部１３ｃに当接して支持され、電球１１及びフィルタ１２が動き、ぐらつくことなく確実にベース部材１３に支持される。
【００６９】
本実施形態における電球装置における他の構成は第一の実施形態と同様である。
【００７０】
本実施形態によれば、フィルタ１２の開放部１２ａに内側に向かい突出するリング状のリブを予め形成する必要がないから、フィルタ１２の構成が簡単となり製造が容易となる。
【００７１】
さらに、電球のガラスバルブ１１ａをフィルタ１２に挿入する際に、障害となるリブがないことから、挿入に際しフィルタの弾性に抗して開放部１２ａの孔を広げる等の作業が不用となり、簡単に電球１１をフィルタ１２に挿入して収容することができる。
【００７２】
本実施形態における、その他の構成、作用、作用効果、変形例の内容、さらには適用の範囲に等については、上述した第一の実施形態と同様である。
【００７３】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【００７４】
【図１】本発明第一実施形態の電球装置の平面図。
【図２】同じく図１のＡ−Ａ線に沿う縦断面図。
【図３】同じく第一実施形態の電球装置の下面図。
【図４】同じく第一実施形態の電球装置に使用される無口金電球の縦断面図。
【図５】同じく第一実施形態の電球装置に使用されるベース部材の平面図。
【図６】同じく図５のＢ−Ｂ線に沿う縦断面図。
【図７】同じく第一実施形態の電球装置に使用されるベース部材の下面図。
【図８】同じく第一実施形態の電球装置の組立状態を示す説明図。
【図９】同じく第一実施形態の電球装置をプリント配線基板に組み込んだ状態で電球装置の配光状態を示す説明図。
【図１０】本発明第二実施形態の電球装置の組立状態を示す説明図。
【図１１】従来の電球装置の配光状態を示す説明図。
【符号の説明】
【００７５】
１０    電球装置
１１    電球
１１ｃ、１１ｃ  リード線
１１ｄ  封止部
１２    フィルタ
１２ａ  開放部
１２ｃ  リブ
１３    ベース部材
１３ｂ  装着部
１３ｃ  支持部
１３ｄ、１３ｄ  リード線挿通孔
【図１】
2006073227.tif 000003
【図２】
2006073227.tif 000004
【図３】
2006073227.tif 000005
【図４】
2006073227.tif 000006
【図５】
2006073227.tif 000007
【図６】
2006073227.tif 000008
【図７】
2006073227.tif 000009
【図８】
2006073227.tif 000010
【図９】
2006073227.tif 000011
【図１０】
2006073227.tif 000012
【図１１】
2006073227.tif 000013